(57)【要約】【課題】  花粉やアレルギ−物質をはじめ、風邪やウイルス疾患の危険に曝されている現代社会に有って、人々の健康を護る手段として、手洗いと鼻や喉の嗽は必要不可欠の方法である。然し、現代社会において、今だ人々が満足する様な器具が開発されていない。【解決手段】  手軽で便利で簡単に、と言うテ−マで考案した。携帯できて外出先でいつでも使用できる物を提供する。弾性のある液タンクに、先端部が細いノズルをネジ等で連結する。ノズル基部からヒンズ又は、長いア−ムを伸ばしキャップと繋げて器具を一体化させた。必要な時にキャップを外して、鼻腔に注入し口から吐き出す方式である。【選択図】図１
0003138020.tif 000002
【実用新案登録請求の範囲】
【請求項１】
弾性のある液タンクにネジ等で連結する、注入用ノズルとキャップがヒンジ、又はア−ムで本体に一体化された構造の鼻腔洗浄器。
【請求項２】
ノズルは先端部が細くなり、キャップには液漏れ防止用の栓を有する構造物。
【考案の詳細な説明】
【技術分野】
【０００１】  鼻腔の洗浄器で、花粉や粉塵等のアレルギ−物質や細菌、ウイルス等を洗浄する器具である。
【背景技術】
【０００２】  特開２００４−２２３１９４
構造が少し複雑で、不必要な部分が有ると思われる為、シンプルで簡単にと考案した。
現代まで鼻腔洗浄用の器具が広く普及していない。
【考案の開示】
【考案が解決しようとする課題】
【０００３】  現代社会は、様々なアレルギ−物質や細菌、ウイルス等の感染の危険に曝されている為、此れらを予防したり被害を少しでも軽減させたい。又、人々の要求に叶う器具が普及していない為、今迄はコップに塩水などを入れて鼻で啜って洗浄していた為、零れて顔や衣服を濡らす事がよくあった。
【課題を解決する為の手段】
【０００４】  手軽に使用できて構造が簡単で、携帯にも便利で安価である。と言うテ−マをもって考案した。液タンクにネジで連結する注入用ノズルにキャップをヒンジ、又はア−ムで連結し器具を一体化させた。又、洗浄液を補充すれば長期に渡って反復使用する事が可能である。
【考案の効果】
【０００５】  自宅及び、外出先でも手軽に使用出来るし、洗浄液も塩水で十分なので維持費も殆ど掛からない。黄砂や花粉の季節をはじめ、風邪やアレルギ−疾患の予防や軽減に役立つと思われる。
【考案を実施する為の最良の形態】
【０００６】  弾性のある液タンクに塩水を入れて、ネジでノズルを連結した後、顔をあお向けにして手で液タンクを圧迫して鼻腔に片方ずつノズルで注入し、啜って口から吐き出す方式である。使用後にはキャップをしめる。
【実施例】
【０００７】  自宅や外出先でも、花粉や粉塵の他、人ごみの中に曝された時、風邪や乾燥している季節などに何時でも洗面所等で手軽に使用出来る。又、喉の不快等により、咳をする時には喉の嗽にも役立つ器具である。
【産業上の利用可能性】
【０００８】  現代は、黄砂をはじめ花粉などのアレルギ−疾患や新型インフルエンザの脅威に曝されております。人々は、此れ等に効果のある、鼻腔洗浄器の普及を心待ちしており、此れらの予防や軽減には、手洗いと鼻腔、喉の嗽はとても役立つものである。
【図面の簡単な説明】
【０００９】
【図１】Ａ  鼻腔洗浄器外見図  Ｂ  Ａ図Ｘ−Ｘ線主要部断面図
【図２】Ｃ  Ｘ−Ｘ線キャップ外した断面図  Ｄ  拡大平面図
【符号の説明】
【００１０】      １    注入用ノズル
２    注入口
３    キャップ固定用リング状突起
４    雌ネジ部
５    雄ネジ部
６    液タンク
７    キャップ
８    ア−ム
９    キャップ脱着用取っ手
１ａ  ノズル基部連結部
２ａ  ノズル栓部
３ａ  固定用リング状溝
２−２ａ  キャップをした状態では重なり区別できない
３−３ａ  キャップをした状態では重なり区別できない
【図１】
0003138020.tif 000003
【図２】
0003138020.tif 000004
【手続補正書】
【提出日】平成19年9月25日(2007.9.25)
【手続補正１】
【補正対象書類名】実用新案登録請求の範囲
【補正対象項目名】全文
【補正方法】変更
【補正の内容】
【実用新案登録請求の範囲】
【請求項１】
弾性の有る液タンクにネジで連結する注入用ノズルは、ノズル基部のネジ部よりヒンジ又は、アームでノズル用キャップに繋がった構造の鼻腔洗浄器。
【請求項２】
ノズルの先端部は、細くて丸みを持ち基部に向かい次第に太くなる構造の請求項１記載の鼻腔洗浄器。
【手続補正２】
【補正対象書類名】明細書
【補正対象項目名】全文
【補正方法】変更
【補正の内容】
【考案の詳細な説明】
【技術分野】
【０００１】  鼻腔用の洗浄器で花粉、粉塵等のアレルギ−物質や細菌、ウイルス等を洗浄する器具である。
【背景技術】
【０００２】  特開２００１−１７５１０
特開２００４−２２３１９４
構造が少し複雑であり、不必要な部分が有ると思われる為、シンプルで簡単な物を考案した。
【考案の開示】
【考案が解決しようとする課題】
【０００３】  現代社会は、様々なアレルギ−物質や細菌、ウイルス等の感染の危険に曝されている為、此れらを予防したり被害を少しでも軽減させたい。今迄はコップに塩水などを入れて鼻で啜って洗浄していた為、零れて顔や衣服を濡らす事がよくあった。
【課題を解決する為の手段】
【０００４】  弾性のある液タンクに洗浄液を入れた後、先端部が細くなった注入用ノズルをネジで連結し手で圧迫して鼻腔に注入する。
【考案の効果】
【０００５】  自宅及び外出先でも手軽に使用出来る上、洗浄液も塩水で十分なので維持費も殆ど掛からない。黄砂や花粉の季節をはじめ、風邪やアレルギ−疾患の予防や軽減に役立つと思われる。
【考案を実施する為の最良の形態】
【０００６】  弾性のある液タンクに塩水を入れてネジでノズルを連結した後、キャップをはずし顔をあお向けにして手で液タンクを圧迫して鼻腔に片方ずつノズルで注入し、啜って口から吐き出す方式である。
【実施例】
【０００７】  自宅や外出先でも花粉や粉塵の他、人ごみの中に曝された時、風邪や乾燥している季節などに何時でも洗面所等で手軽に使用出来る。又、喉の不快等により咳をする時には、喉の嗽にも役立つ器具である。
【産業上の利用可能性】
【０００８】  現代は、黄砂をはじめ花粉などのアレルギ−疾患や新型インフルエンザの脅威に曝されております。人々は、此れ等の軽減に効果のある鼻腔洗浄器の普及を心待ちしており、症状の予防や軽減には、手洗いと鼻腔、喉の嗽はとても役立つものである。
【図面の簡単な説明】
【０００９】
【図１】  Ａ  鼻腔洗浄器外見側面図  Ｂ  キャップ部Ｘ矢視平面図  Ｃ  ノズル部Ｙ矢視平面図
【図２】  鼻腔洗浄器主要部の断面図
【符号の説明】
【００１０】  １    注入用ノズル
２    注入口
３    キャップ固定用リング状突起
４    雌ネジ部
５    雄ネジ部
６    液タンク
７    キャップ
８    ア−ム
９    キャップ脱着用取っ手
１０  ノズル先端部
１１  ノズル基部
１２  キャップ頂部
１３  キャップ基部
１ａ  ノズル基部連結部
２ａ  ノズル栓部
３ａ  固定用リング状溝
【手続補正３】
【補正対象書類名】図面
【補正対象項目名】全図
【補正方法】変更
【補正の内容】
【図１】
0003138020.tif 000005
【図２】
0003138020.tif 000006